(57)【要約】      （修正有）【課題】携帯情報端末を保護し、携帯情報端末の縦置きと横置きの各表示姿勢に対応したスタンドとしても使用可能なスタンド付きホルダーを提供する。【解決手段】携帯情報端末用スタンド付きホルダーＨは、携帯情報端末を着脱自在に保持する長方形形状のカバーケース２と、カバーケース２を起立状態に支持するスタンド３とを備える。カバーケース２は、携帯情報端末の前面又は背面を覆う平板状のプレート部と、プレート部の内面側の周縁に立設されて携帯情報端末の外周部を把持する縁部とを有する。スタンド３は、携帯情報端末の縦置きと横置きの各姿勢に対応する９０度位置ごとに仮止まりするように３６０度回動可能な回転機構を有する回転体部と、回転体部に揺動可能に取り付けられて携帯情報端末の起立角度を調節するとともに壁掛け用フックとしても使用可能なリング部とを有する。【選択図】図２
0003170743.tif 000002
【実用新案登録請求の範囲】
【請求項１】
長方形形状の表示画面における表示姿勢が縦置きと横置きの各姿勢に対応して自動的に切り替わる携帯情報端末を保持するためのスタンド付きホルダーであって、
携帯情報端末を着脱自在に保持する長方形形状のカバーケースと、
カバーケースの外面側に取り付けられて携帯情報端末を保持するカバーケースを起立状態に支持するスタンドとを備え、
カバーケースは、携帯情報端末の大きさに対応して形成されて携帯情報端末の表示画面を有する前面又は表示画面がない背面を覆う平板状のプレート部と、プレート部の内面側の周縁に立設されて携帯情報端末の外周部を把持する縁部とを有し、
スタンドは、プレート部の外面側に取り付けられて携帯情報端末の縦置きと横置きの各姿勢に対応する９０度位置ごとに仮止まりするように３６０度回動可能な回転機構を有する回転体部と、回転体部に揺動可能に取り付けられて携帯情報端末の起立角度を調節するとともに壁掛け用フックとしても使用可能なリング部とを有する携帯情報端末用スタンド付きホルダー。
【請求項２】
請求項１に記載の携帯情報端末用スタンド付きホルダーにおいて、
スタンドのリング部は、カバーケースと平行になるように外側に寝かせた状態ではカバーケースの長辺側及び短辺側よりも外側へ一部が食み出る大きさを有する携帯情報端末用スタンド付きホルダー。
【請求項３】
請求項１又は２に記載の携帯情報端末用スタンド付きホルダーにおいて、
スタンドは、カバーケースに対して着脱自在に構成されており、
カバーケースのプレート部の中央部には透孔が設けられ、透孔の開口縁部にはカバーケースの長辺側又は短辺側に対応した対向位置に係合凹部が設けられ、
スタンドの回転体部にはプレート部の透孔に嵌る外径を有した取付部が設けられ、取付部の外周部には対向位置の各々に外方側へバネ付勢されて透孔の係合凹部に係合する係合凸部が設けられている携帯情報端末用スタンド付きホルダー。
【請求項４】
請求項１〜３のいずれか１項に記載の携帯情報端末用スタンド付きホルダーにおいて、
プレート部の四つの各コーナ部には該プレート部の構成部材を切り取った切取り部に内面側へ押込み可能で且つ外面側に突出した弾性部材からなる弾性部が設けられている携帯情報端末用スタンド付きホルダー。
【請求項５】
請求項１〜４のいずれか１項に記載の携帯情報端末用スタンド付きホルダーにおいて、
携帯情報端末の装着側となるカバーケースの内面には弾性部材からなる内張り部が形成されている携帯情報端末用スタンド付きホルダー。
【請求項６】
請求項１〜５のいずれか１項に記載の携帯情報端末用スタンド付きホルダーにおいて、
スタンドのリング部には、着脱自在な吸盤が設けられている携帯情報端末用スタンド付きホルダー。
【考案の詳細な説明】
【技術分野】
【０００１】
本考案は、長方形形状の表示画面における表示姿勢が縦置きと横置きの各姿勢に対応して自動的に切り替わる携帯情報端末を保持するための携帯情報端末用スタンド付きホルダーに関する。
【背景技術】
【０００２】
情報化社会の現代において、例えば、ｉＰａｄ（登録商標）に代表されるタブレット型の携帯情報端末は、表示画面に指で直接触れて操作でき、通信回線を通じてインターネットに接続でき、また電源投入すると直ぐ起動する等の利便性を有し、その普及が拡大しつつある。これら携帯情報端末は、長方形形状の前面が表示画面で構成され、表示画面における表示姿勢が縦置きと横置きの各姿勢に対応して自動的に切り替わり、種々のコンテンツ等の閲覧性の向上が図られている。
【０００３】
この種の携帯情報端末の登場に合わせて、携帯情報端末を保護等するためのカバーも多く提供されている（例えば、特許文献１）。図１５に示すプロテクトカバー１００（特許文献１）は、開閉可能な第一プロテクトボード１０１と第二プロテクトボード１０２とを有し、携帯情報端末１を第一プロテクトボード１０１に固定し、第一プロテクトボード１０１と第二プロテクトボード１０２とを閉じて携帯情報端末１を保護するようにしている。このプロテクトカバー１００は、第一プロテクトボード１０１に横向きの屈曲部１１１を有し、第二プロテクトボード１０２に複数の横向きの切込溝１２１を有しており、携帯情報端末１を固定した第一プロテクトボード１０１の屈曲部１１１を屈曲させて携帯情報端末１の下端を第二プロテクトボード１０２のいずれかの切込溝１２１に支持させてスタンドのようにして、携帯情報端末１を所定角度に立たせて操作、閲覧等をし易くしている（図１５（Ｂ））。
【先行技術文献】
【特許文献】
【０００４】
【特許文献１】実用新案登録第３１６４６４８号公報
【考案の概要】
【考案が解決しようとする課題】
【０００５】
上述のとおり、携帯情報端末１は、長方形形状の表示画面の表示姿勢が縦置きと横置きの各姿勢に対応して自動的に切り替わるようになっている。しかしながら、従来のカバー１００では、携帯情報端末１を横置き姿勢にしか立て掛けられないため（図１５参照）、携帯情報端末１を縦置きの姿勢にして操作、閲覧等を行うことができず、携帯情報端末１の機能を十分に発揮させて使用に供することができなかった。
【０００６】
本考案は、以上の事情に鑑みてなされたものであり、携帯情報端末を保護するとともに、携帯情報端末の縦置きと横置きの各表示姿勢に対応したスタンドとしても使用可能な携帯情報端末用スタンド付きホルダーを提供することを課題とする。
【課題を解決するための手段】
【０００７】
本考案に係る携帯情報端末用スタンド付きホルダーは、
長方形形状の表示画面における表示姿勢が縦置きと横置きの各姿勢に対応して自動的に切り替わる携帯情報端末を保持するためのスタンド付きホルダーであって、
携帯情報端末を着脱自在に保持する長方形形状のカバーケースと、
カバーケースの外面側に取り付けられて携帯情報端末を保持するカバーケースを起立状態に支持するスタンドとを備え、
カバーケースは、携帯情報端末の大きさに対応して形成されて携帯情報端末の表示画面を有する前面又は表示画面がない背面を覆う平板状のプレート部と、プレート部の内面側の周縁に立設されて携帯情報端末の外周部を把持する縁部とを有し、
スタンドは、プレート部の外面側に取り付けられて携帯情報端末の縦置きと横置きの各姿勢に対応する９０度位置ごとに仮止まりするように３６０度回動可能な回転機構を有する回転体部と、回転体部に揺動可能に取り付けられて携帯情報端末の起立角度を調節するとともに壁掛け用フックとしても使用可能なリング部とを有する。
【０００８】
上記構成より、カバーケースのプレート部に携帯情報端末の表示画面がない背面側を対向させて携帯情報端末をカバーケースに装着すれば、携帯情報端末の表示画面が露出されるので、携帯情報端末を支障なく操作して使用することができる。また、携帯情報端末の未使用時においては、カバーケースのプレート部に携帯情報端末の表示画面を有する前面側を対向させて携帯情報端末をカバーケースに装着すれば、カバーケースによって携帯情報端末の表示画面を覆って保護することができる。
【０００９】
また、スタンドのリング部を揺動させて携帯情報端末が所望の起立角度になるように携帯情報端末を立て掛けることができる。さらに、スタンドの回転体部を９０度位置ごとに仮止まりするように３６０度回動させることができるので、スタンドのリング部をカバーケースに対して携帯情報端末の縦置きと横置きの各姿勢に対応させることができる。これにより、カバーケースに装着した長方形形状の携帯情報端末を縦置き又は横置きのいずれの姿勢にも自由に立て掛けることができる。従って、携帯情報端末の操作、閲覧等の使用に際して、使用者の要望に応じて携帯情報端末の表示姿勢を縦置き又は横置きのいずれの表示姿勢にも対応させることができる。また、スタンドのリング部を壁掛け用フックとしても使用することができ、携帯情報端末を壁等に掛けて使用等することができる。
【００１０】
上記携帯情報端末用スタンド付きホルダーにおいて、
スタンドのリング部は、カバーケースと平行になるように外側に寝かせた状態ではカバーケースの長辺側及び短辺側よりも外側へ一部が食み出る大きさを有するのが望ましい。
これにより、スタンドのリング部を寝かせた状態にすれば、リング部を壁側のフックに引っ掛け易くすることができる。従って、携帯情報端末を壁掛けタイプとしても使用することができる。また、リング部をかばんの取っ手のようにして使用することができるので、携帯情報端末の持ち運びも便利に行うことができる。
【００１１】
上記携帯情報端末用スタンド付きホルダーにおいて、
スタンドは、カバーケースに対して着脱自在に構成されており、
カバーケースのプレート部の中央部には透孔が設けられ、透孔の開口縁部にはカバーケースの長辺側又は短辺側に対応した対向位置に係合凹部が設けられ、
スタンドの回転体部にはプレート部の透孔に嵌る外径を有した取付部が設けられ、取付部の外周部には対向位置の各々に外方側へバネ付勢されて透孔の係合凹部に係合する係合凸部が設けられているのが望ましい。
これにより、スタンドを取り外した状態のカバーケースに対して携帯情報端末を表示画面を露出させるように装着して、これを机上に置いてフラットな状態で携帯情報端末を使用することができる。また、スタンドを取り外した状態のカバーケースを携帯情報端末の表示画面を構成する前面に取り付けて携帯情報端末の表示画面の保護のために使用することもできる。
【００１２】
上記携帯情報端末用スタンド付きホルダーにおいて、
プレート部の四つの各コーナ部には該プレート部の構成部材を切り取った切取り部に内面側へ押込み可能で且つ外面側に突出した弾性部材からなる弾性部が設けられているのが望ましい。
これにより、スタンドを取り外したカバーケースに携帯情報端末を装着して机上に置いて使用する際に、弾性部によって携帯情報端末を静止させた状態でもって表示画面を指でタッチ操作することができ、操作に支障なく使用することができる。また、外側から弾性部を指で押し込むことにより、カバーケースから携帯情報端末を簡単に且つ円滑に取り外すことができる。
【００１３】
上記携帯情報端末用スタンド付きホルダーにおいて、
携帯情報端末の装着側となるカバーケースの内面には弾性部材からなる内張り部が形成されているのが望ましい。
これにより、携帯情報端末の表示画面をカバーケースの内面に向けて装着させた場合に表示画面に傷を付けることもない。
【００１４】
上記携帯情報端末用スタンド付きホルダーにおいて、
スタンドのリング部には、着脱自在な吸盤が設けられているのが望ましい。
これにより、吸盤によってテーブル上や壁面等に携帯情報端末用スタンド付きホルダーを安定して保持させることができ、しかも、吸盤を設けたリング部を揺動させることで携帯情報端末を所望の角度に調節して見易くすることができる。
【考案の効果】
【００１５】
以上のように、本考案に係る携帯情報端末用スタンド付きホルダーによれば、携帯情報端末に対する保護機能を確保することができ、しかも、スタンドによって携帯情報端末を立て掛けて使用する際には携帯情報端末の表示姿勢が縦置き又は横置きの各姿勢に自動的に切り替わる携帯情報端末の機能を十分に発揮させて便利に操作、閲覧等の使用を行うことができる。
【図面の簡単な説明】
【００１６】
【図１】実施形態による携帯情報端末用スタンド付きホルダーによって携帯情報端末を保持させて立て掛けた状態（縦置き姿勢）を示す斜視図である。
【図２】実施形態による携帯情報端末用スタンド付きホルダーによって携帯情報端末を保持させて立て掛けた背後からの状態（縦置き姿勢）を示す斜視図である。
【図３】携帯情報端末用スタンド付きホルダーを示す図であり、同図（Ａ）は背面図であり、同図（Ｂ）は底面図である。
【図４】携帯情報端末用スタンド付きホルダーを示す図であり、同図（Ａ）は平面図であり、同図（Ｂ）は左側面図である。
【図５】携帯情報端末用スタンド付きホルダーを示す図であり、同図（Ａ）はスタンドを折り畳んだ状態の平面図であり、同図（Ｂ）は正面図である。
【図６】携帯情報端末用スタンド付きホルダーのスタンドを折り畳んだ背後からの状態を示す斜視図である。
【図７】携帯情報端末用スタンド付きホルダーを示す図であり、同図（Ａ）はスタンドを折り畳んだ状態の背面図であり、同図（Ｂ）は底面図である。
【図８】携帯情報端末用スタンド付きホルダーを示す図であり、同図（Ａ）はスタンドを９０度回転させて横置き姿勢にした状態の背面図であり、同図（Ｂ）は底面図である。
【図９】携帯情報端末用スタンド付きホルダーによって携帯情報端末を保持させて立て掛けた背後からの状態（横置き姿勢）を示す斜視図である。
【図１０】携帯情報端末用スタンド付きホルダーによって携帯情報端末を保持させて立て掛けた背後からの状態（横置き反転姿勢）を示す斜視図である。
【図１１】携帯情報端末用スタンド付きホルダーにおけるスタンドのリング部を外側へ寝かせた状態を示す正面図である。
【図１２】携帯情報端末用スタンド付きホルダーにおけるカバーケースからスタンドを取り外した状態を示す背面図である。
【図１３】携帯情報端末用スタンド付きホルダーをスタンドを取り外して机上に置いた状態を示す側面図である。
【図１４】携帯情報端末用スタンド付きホルダーに吸盤を設ける例を示した背面斜視図である。
【図１５】従来の携帯情報端末用のプロテクトカバーを示す図であり、同図（Ａ）はプロテクトカバーを開いた状態の斜視図であり、同図（Ｂ）は携帯情報端末を立て掛けた状態の側面図である。
【考案を実施するための形態】
【００１７】
図１、図２に示すように、携帯情報端末１のスタンド付きホルダーＨは、携帯情報端末１に装着させて、携帯情報端末１を保護するとともに立て掛けてスタンドとしても利用できるものである。携帯情報端末１としては、ｉＰａｄ（登録商標）に代表されるタブレット型の携帯情報端末１である。この種の携帯情報端末１は、表示画面１１に指で直接触れて操作でき、通信回線を通じてインターネットに接続でき、また電源投入すると直ぐ起動する等の利便性を有し、さらに、長方形形状の表示画面１１における表示姿勢が縦置きと横置きの各姿勢に対応して自動的に切り替わる機能を有する。
【００１８】
図３〜図５を参照して、スタンド付きホルダーＨは、携帯情報端末１を着脱自在に保持する長方形形状のカバーケース２と、カバーケース２の外面側に取り付けられてカバーケース２を起立状態に支持するスタンド３とを備える。
【００１９】
カバーケース２は、合成樹脂製からなり、携帯情報端末１の大きさに対応して形成されて携帯情報端末１の表示画面１１を有する前面又は表示画面１１がない背面を覆う平板状のプレート部２１と、プレート部２１の内面側の周縁に立設されて携帯情報端末１の外周部を把持する縁部２２とを有する。これにより、カバーケース２のプレート部２１に携帯情報端末１の表示画面１１がない背面側を対向させて携帯情報端末１をカバーケース２に装着すれば、携帯情報端末１の表示画面１１が露出されるので、携帯情報端末１を支障なく操作して使用することができる。また、携帯情報端末１の未使用時においては、カバーケース２のプレート部２１に携帯情報端末１の表示画面１１を有する前面側を対向させて携帯情報端末１をカバーケース２に装着すれば、カバーケース２によって携帯情報端末１の表示画面１１を覆って保護することができる。
【００２０】
縁部２２には、所々に切欠き２３が形成されている（図２も参照）。これら切欠き２３は、携帯情報端末１において充電器やヘッドホン等の外部機器を接続するために設けられた複数の端子接続部１２に対応した位置に形成されている。
【００２１】
携帯情報端末１の装着側となるカバーケース２の内面には、エラストマー、ゴム、ソフトラバー等の弾性部材からなる内張り部２４が形成されている（図５参照）。この内張り部２４は、カバーケース２とともに一体成形（例えば、２色成形）により形成される。これにより、携帯情報端末１をカバーケース２に装着させた場合に携帯情報端末１に傷が付かないようにすることができ、また、携帯情報端末１の表示画面１１をカバーケース２の内面に向けて装着させた場合には表示画面１１に傷を付けることもない。
【００２２】
プレート部２１の四つの各コーナ部には、角部の外周縁から中央に向けてプレート部２１の構成部材を丸く切り取った切取り部２５を設けるとともに、この切取り部２５にカバーケース２の内面の内張り部２４を配置形成させた弾性部２６が設けられている（図３参照）。これら四つの弾性部２６は、内張り部２４と同じ弾性部材から形成されているので、カバーケース２の外側から内面側へ押込み可能となっている。これにより、弾性部２６を外側から指で押し込むことにより、カバーケース２に装着した携帯情報端末１をカバーケース２から簡単に且つ円滑に取り外すことができる。
【００２３】
スタンド３は、プレート部２１の外面側に取り付けられた回転体部３１と、回転体部３１に揺動可能に取り付けられたリング部３２とを有する。このスタンド３のリング部３２を揺動させて携帯情報端末１が所望の起立角度になるように携帯情報端末１を立て掛けることができ、しかも、リング部３２の揺動角度を変えることで携帯情報端末１の起立角度を適宜に調節することができる。これにより、携帯情報端末１を所定角度に立たせて操作、閲覧等をし易くすることができる（図１、図２参照）。なお、リング部２３は、折畳み状態（図６）にしたり外側へ寝かせた状態（図１１）にすることができる。リング部３２の外周部分には、エラストマー、ゴム、ソフトラバー等の弾性部材からなる滑り止め部３３が一体形成されている。従って、この滑り止め部３３によって滑り止めされて携帯情報端末１を机上等で安定して立てかけた状態に保持することができる。なお、リング部３２は、壁掛け用フックとしても使用することができるので、携帯情報端末１を壁等に掛けて閲覧等の使用に供することができる。
【００２４】
そして、回転体部３１は、携帯情報端末１の縦置きと横置きの各姿勢に対応する９０度位置ごとに仮止まりするように３６０度回動可能な回転機構を有する。この回転機構としては、例えば、９０度位置ごとに凹部を設けた受け部と、この凹部に係合する出没自在な凸部を設けた被回転部とにより構成することができる。これにより、スタンド３をカバーケース２に対して回動させて、携帯情報端末１の縦置きと横置きの各姿勢に対応して９０度位置にリング部３２を配置させることができる。例えば、図６に示すようにスタンド３を手でつかんで、スタンド３を図７に示した縦置きの姿勢から９０度回動させて、図８に示した横置きの姿勢へと配置させることができる。これにより、図２に示したようにカバーケース２を縦置き姿勢で立て掛けていた状態から、図９に示したようにカバーケース２を横置き姿勢にして立て掛ける状態へ移行させることができる。このようにして、カバーケース２に装着した長方形形状の携帯情報端末１を縦置き又は横置きのいずれの姿勢にも自由に立て掛けることができる。携帯情報端末１は、表示画面１１の表示姿勢が縦置きと横置きの各姿勢に対応して自動的に切り替わる機能を有する。従って、携帯情報端末１の操作、閲覧等の使用に際して、使用者の要望に応じて携帯情報端末１の表示姿勢を縦置き又は横置きのいずれの表示姿勢にも対応させることができる。
【００２５】
また、スタンド３を支点にしてスタンド付きホルダーＨを反転させて、携帯情報端末１の表示画面１１を手前側から向かい側へ向かせるようにして携帯情報端末１を立て掛けることもできる（例えば、図９の状態から図１０の状態）。このとき、携帯情報端末１の表示姿勢も天地が反転するように切り替わる。従って、例えば、自ら閲覧等している携帯情報端末１の表示画面１１を、対面者に対しても正しい表示姿勢で見せるのに便利に利用することができる。
【００２６】
以上の携帯情報端末用スタンド付きホルダーＨによれば、携帯情報端末１に対する保護機能を確保することができ、しかも、スタンド３によって携帯情報端末１を立て掛けて使用する際には携帯情報端末１の表示姿勢が縦置き又は横置きの各姿勢に自動的に切り替わる携帯情報端末１の機能を十分に発揮させて便利に操作、閲覧等の使用を行うことができる。
【００２７】
また、図１１に示すように、スタンド３のリング部３２は、カバーケース２と平行になるように外側に寝かせた状態ではカバーケース２の長辺側及び短辺側よりも外側へ一部が食み出る大きさを有する。これにより、スタンド３のリング部３２を壁掛け用フックとしても使用する際、リング部３２を壁側のフックに引っ掛け易くすることができる。従って、携帯情報端末１を壁に掛けて閲覧等のために便利に使用することができる。また、リング部３２を外側に寝かせた状態ではリング部３２の一部がカバーケース２の外周から食み出る大きさになっているから、リング部３２をかばんの取っ手のようにして使用することができ、携帯情報端末１の持ち運びも容易に行うことができる。
【００２８】
また、図１２に示すように、スタンド３は、カバーケース２に対して着脱自在に構成されている。具体的には、カバーケース２のプレート部２１の中央部には透孔２７が設けられ、透孔２７の開口縁部にはカバーケース２の長辺側及び短辺側に対応した対向位置に係合凹部２８が設けられている（図５参照）。そして、スタンド３の回転体部３１にはプレート部２１の透孔２７に嵌る外径を有した取付部３４が設けられ、取付部３４の外周部には対向位置の外方側へバネ付勢されて透孔２７の係合凹部２８に係合する一対の係合凸部３５が設けられている。各係合凸部３５には表側に突出する指掛け操作部３６が形成されている。これにより、左右の指掛け操作部３６を指で掴んで中央側に押し込むことにより、スタンド３の係合凸部３５をカバーケース２の係合凹部２８から容易に脱出させることができる。従って、カバーケース２へのスタンド３の脱着作業を簡易に行うことができる。
【００２９】
そして、図１３に示すように、スタンド３を取り外した状態のカバーケース２に対して携帯情報端末１を表示画面１１を露出させるように装着して、これを机上に置いてフラットな状態で携帯情報端末１を使用することができる。また、スタンド３を取り外した状態のカバーケース２を携帯情報端末１の表示画面１１を構成する前面に取り付けて携帯情報端末１の保護のために使用することもできる。
【００３０】
この状態では、カバーケース２の四つの各コーナ部に形成した各弾性部２６は、外面側に突出して形成されている。従って、このスタンド付きホルダーＨをスタンド３を取り外して机上に置いて使用する際に、各弾性部２６によって携帯情報端末１を静止させた状態でもって表示画面１１を指でタッチ操作することができ、操作に支障なく使用することができる。
【００３１】
また、本携帯情報端末用スタンド付きホルダーＨは、図１４に示すように、吸盤５を設けた保持体５１をスタンド３のリング部３２に着脱自在に取り付けるようにすることができる。このように、スタンド３のリング部３２に吸盤５を設けることにより、吸盤５によってテーブル上や壁面、窓ガラス等に携帯情報端末用スタンド付きホルダーＨを安定して保持させることができ、しかも、吸盤５を取り付けたリング部３２を揺動させることでカバーケース２に保持する携帯情報端末１を所望の角度に調節して表示画面１１を見易くすることができる。
【符号の説明】
【００３２】
１  携帯情報端末
２  カバーケース
３  スタンド
５  吸盤
１１  表示画面
１２  端子接続部
２１  プレート部
２２  縁部
２３  切欠き
２４  内張り部
２５  切取り部
２６  弾性部
２７  透孔
２８  係合凹部
３１  回転体部
３２  リング部
３３  滑り止め部
３４  取付部
３５  係合凸部
３６  指掛け操作部
Ｈ  携帯情報端末用スタンド付きホルダー
【図１】
0003170743.tif 000003
【図２】
0003170743.tif 000004
【図３】
0003170743.tif 000005
【図４】
0003170743.tif 000006
【図５】
0003170743.tif 000007
【図６】
0003170743.tif 000008
【図７】
0003170743.tif 000009
【図８】
0003170743.tif 000010
【図９】
0003170743.tif 000011
【図１０】
0003170743.tif 000012
【図１１】
0003170743.tif 000013
【図１２】
0003170743.tif 000014
【図１３】
0003170743.tif 000015
【図１４】
0003170743.tif 000016
【図１５】
0003170743.tif 000017